(57)【要約】【課題】  男性用下着において体型に追従して快適な着用感を得る。【解決手段】  一枚の生地から構成され、前身頃部１１ａ及び後身頃部１１ｂにより使用者の臀部、脇部及び局部及びそれらの間を継ぎ目なく覆う本体部１０と、使用者の股部を覆い、本体部１０と縫着される股布部２０とを備え、本体部１０は、使用者の局部に対応する部位にあって他の部位から膨出した袋体部１３を有する、ブリーフ１。【選択図】  図１
2016117968.tif 000002
【特許請求の範囲】
【請求項１】
一枚の生地から構成され、使用者の臀部、脇部及び局部及びそれらの間を継ぎ目なく覆う本体部と、
前記使用者の股部を覆い、前記本体部と縫着される股布部とを備え、
前記本体部は、前記使用者の前記局部に対応する部位にあって他の部位から膨出した袋体部を有する、
男性用下着。
【請求項２】
前記袋体部は、
凸面を有する雄型及び前記雄型の前記凸面に対応した凹型を有する雌型を用い、前記本体部の内筒側から前記雄型により、外筒側から前記雌型により挟持、圧着されることにより形成されている、
請求項１に記載の男性用下着。
【請求項３】
前記本体部において前記袋体部と前記他の部位との境界は、少なくとも前記包袋部より前記生地を構成する糸の密度が高くなっている、
請求項１又は２に記載の男性用下着。
【請求項４】
前記包袋部の前記境界は、両端が前記本体部の腰天に達するとともに、中間が前記股布部に対向するよう湾曲又は屈曲している、
請求項１から３のいずれかに記載の男性用下着。
【請求項５】
前記境界の幅は、前記中間側の方が前記両端側よりも大きくなっている、
請求項４に記載の男性用下着。
【請求項６】
糸を継ぎ目のない一枚の筒状の本体部に加工し、前記本体部の一方の開口を腰天とし、他方の端部の開口を股布部で部分的に閉塞して二分して一対の裾に対応させる男性用下着の製造方法であって、
前記本体部を、内筒側から凸面を有する雄型により、外筒側から、前記雄型の前記凸面に対応した凹型を有する雌型により挟持、圧着することにより、前記本体部の内筒側に凹みを形成する工程を備え、
前記凹みを使用者の局部の位置に対応させる、
男性用下着の製造方法。
【発明の詳細な説明】
【技術分野】
【０００１】
本発明は、男性用下着に関する。
【背景技術】
【０００２】
下着類において男性の下半身に着用されるブリーフの類は、使用者の体型に追従してこれに密着することにより、保温、衛生を維持するようにしている。特に、男性は股間から突出する局部を有することから、腿部と局部との間に蒸れが生じやすく、また、下着内部で局部が圧迫される、又は安定して固定されにくくなっている。
【０００３】
これに対応する技術として、例えば特許文献１においては、局部に対応する位置に膨出部を設け、着用感を向上させるようにしたものが開示されている。
【先行技術文献】
【特許文献】
【０００４】
【特許文献１】特開平９−２１７２０１号公報（図１、図３）
【発明の概要】
【発明が解決しようとする課題】
【０００５】
しかしながら、上記ブリーフのような従来の男性用下着においては、以下のような課題があった。すなわち、膨出部は下着の本体部とは別部材として当該本体部に縫着される構成となっているとともに、膨出部自体も複数の布片を縫合してなる構成を有する。したがって、各部の縫合線が体表に接することとなり、異物感、不快感を生じさせ、充分に快適な着用感が得ることが出来なかった。
【０００６】
本発明は、上記の課題に鑑みてなされたものであり、体型に追従して快適な着用感を得ることが可能な男性用下着を提供することを目的とする。
【課題を解決するための手段】
【０００７】
上記の目的を達成するために、本発明の第１の側面は、一枚の生地から構成され、使用者の臀部、脇部及び局部及びそれらの間を継ぎ目なく覆う本体部と、前記使用者の股部を覆い、前記本体部と縫着される股布部とを備え、前記本体部は、前記使用者の前記局部に対応する部位にあって他の部位から膨出した袋体部を有する、男性用下着である。
【０００８】
本発明の第２の側面は、前記袋体部は、凸面を有する雄型及び前記雄型の前記凸面に対応した凹型を有する雌型を用い、前記本体部の内筒側から前記雄型により、外筒側から前記雌型により挟持、圧着されることにより形成されている、本発明の第１の側面の男性用下着である。
【０００９】
本発明の第３の側面は、前記本体部において前記袋体部と前記他の部位との境界は、少なくとも前記包袋部より前記生地を構成する糸の密度が高くなっている、本発明の第１又は第２の側面の男性用下着である。
【００１０】
本発明の第４の側面は、前記包袋部の前記境界は、両端が前記本体部の腰天に達するとともに、中間が前記股布部に対向するよう湾曲又は屈曲している、本発明の第１から第３のいずれかの側面の男性用下着である。
【００１１】
本発明の第５の側面は、前記境界の幅は、前記中間側の方が前記両端側よりも大きくなっている、本発明の第４の側面の男性用下着である。
【００１２】
本発明の第６の側面は、糸を継ぎ目のない一枚の筒状の本体部に加工し、前記本体部の一方の開口を腰天とし、他方の端部の開口を股布部で部分的に閉塞して二分して一対の裾に対応させる男性用下着の製造方法であって、前記本体部を、内筒側から凸面を有する雄型により、外筒側から、前記雄型の前記凸面に対応した凹型を有する雌型により挟持、圧着することにより、前記本体部の内筒側に凹みを形成する工程を備え、前記凹みを使用者の局部の位置に対応させる、男性用下着の製造方法である。
【発明の効果】
【００１３】
以上のような本発明は、男性用下着において体型に追従して快適な着用感を得ることが可能になるという効果を奏する。
【図面の簡単な説明】
【００１４】
【図１】本発明の実施の形態に係るブリーフの構成を示す正面図
【図２】本発明の実施の形態に係るブリーフの構成を示す背面図
【図３】本発明の実施の形態に係るブリーフの構成を示す断面図
【図４】本発明の実施の形態に係るブリーフの構成を示す断面図
【図５】（ａ）本発明の実施の形態に係るブリーフの製造方法を説明するための図（ｂ）本発明の実施の形態に係るブリーフの製造方法を説明するための図（ｃ）本発明の実施の形態に係るブリーフの製造方法を説明するための図
【図６】本発明の実施の形態に係るブリーフの製造方法を説明するための要部断面図
【図７】（ａ）本発明の実施の形態に係るブリーフの他の構成例を示す図（ｂ）本発明の実施の形態に係るブリーフの他の構成例を示す図
【発明を実施するための形態】
【００１５】
以下、本発明の実施の形態について、図面を参照しながら説明する。
【００１６】
図１は、本発明の実施の形態に係る、ボクサーブリーフであるブリーフ１の構成を示す正面図であり、図２は背面図である。
【００１７】
図１及び２に示すように、ブリーフ１は、使用者の腰部の前側を覆う前身頃部１１ａ及び腰部後側を覆う後身頃部１１ｂを有する本体部１０を主要素として構成される。
【００１８】
本体部１０は周知の被服材料である、コットン、ポリエステル、ポリウレタン等の織布から構成され、開口として腰天１０ａ及び一対の裾部１０ｂが形成されている。また、本体部１０において、前身頃部１１ａは使用者の局部及びその周辺を覆い、後身頃部１１ｂは使用者の臀部を覆う。
【００１９】
そして、前身頃部１１ａと後身頃部１１ｂとの境界であって、使用者の腰側面に対応する位置である脇部１１ｃにおいては、前身頃部１１ａ及び後身頃部１１ｂが継ぎ目無く連続している。すなわち、前身頃部１１ａ及び後身頃部１１ｂは一体化して、使用者の臀部、脇部及び局部及びそれらの間を継ぎ目無く覆っていることとなる。
【００２０】
更に、本体部１０とは別個の材料として、腰天１０ａの周囲には腰ゴム部１４が、一対の裾部１０ｂの周囲には裾ゴム部１５が、それぞれ縫着される。一対の裾部１０ｂの間にも、本体部１０とは別個の材料である股布部２０が縫着される。なお、股布部２０と本体部１０との縫合線３０ａは当て布部３０が更に縫着されることにより被覆され、股布部２０及び裾部１０ｂ近傍を補強している。
【００２１】
次に、本体部１０の前身頃部１１ａ上であって、使用者の局部に対応する位置には、前身頃部１１ａから連続して形成された略袋状の袋体部１３が形成されている。そして、袋体部１３と前身頃部１１ａの他の部分との境界は境界部１２により区画されている。境界部１２は本体部１０の一部として前身頃部１１ａ及び後身頃部１１ｂと一体的に形成されているが、本体部１０の生地において前身頃部１１ａ及び袋体部１３よりも稠密に織られた構成を有する。したがって境界部１２は本体部１０の他の部分より強度が大きく、かつ伸縮性が小さくなっている。
【００２２】
以上のような構成を有するブリーフ１において、本体部１０は本発明の本体部に相当し、股布部２０は本発明の股布部に相当する。また、袋体部１３は本発明の袋体部に相当する。また、境界部１２は本発明の、包袋部と他の部位との境界に相当する。
【００２３】
このような構成を有する本実施の形態のブリーフ１は、本体部１０が、前身頃部１１ａ及び後身頃部１１ｂを継ぎ目無く繋いでいる一枚の生地から構成されるとともに、前身頃部１１ａの上であって、使用者の局部に対応する位置に、前身頃部１１ａから連続して形成された略袋状の袋体部１３を形成したことを特徴とする。
【００２４】
すなわち、図３の、図１のＡ−Ａ直線による、使用者の身体の側面からみた断面図及び、図４の、図１のＢ−Ｂ直線による、使用者の身体の脚部から頭部に沿った方向からみた断面図にそれぞれ示すように、袋体部１３は、前身頃部１１ａの表面から膨出することにより、本体部１０の内側に反転形状としての空隙Ｃを生じさせる。ブリーフ１の着用時には、空隙Ｃに使用者の局部が収まることとなり、したがって本体部１０及び袋体部１３は使用者の体型に追従して密着することができる。
【００２５】
更に、本実施の形態においては、袋体部１３が、本体部１０の一部として、前身頃部１１ａと一体化して、前身頃部１１ａから連続して形成されたことを特徴とする。すなわち、袋体部１３の、空隙Ｃに対向して使用者の身体表面に接触する面には縫合線等の継ぎ目がないため、局部及びその近傍の体表の任意の部位に対して面接触することとなる。これにより、本実施の形態のブリーフ１は異物感、不快感を生じさせることなく、快適な着用感を得ることが可能となっている。
【００２６】
また、袋体部１３と前身頃部１１ａとの間も、本体部１０の一部を成し、袋体部１３及び前身頃部１１ａに一体化した境界部１２として形成されることにより、袋体部１３と同様、快適な着用感を得ることが可能となる。
【００２７】
また、本体部１０においても、前身頃部１１ａ及び後身頃部１１ｂが継ぎ目無く使用者の臀部、脇部及び局部並びにそれらの間を覆っていることにより、体表にむら無く面接触して、快適な着用感を得ることができる。
【００２８】
更に、本実施の形態においては、境界部１２は一定の幅を有することにより、図３及び４に示すように、使用者の体表に面接触することとなり、快適な着用感を得ることが可能となっている。
【００２９】
更に、本実施の形態においては、袋体部１３と、前身頃部１１ａの他の部位との境界をなす境界部１２が、前身頃部１１ａ及び袋体部１３よりも稠密に織られており、境界部１２は本体部１０の他の部分より強度が大きく、かつ伸縮性が小さくなっている。これにより、例えば使用者が運動を行った際、使用者の局部が体表からずれたり移動したりすることを抑制して、局部を袋体部１３内に安定して保持することができる。ひいては、快適な着用感を維持することが可能となる。
【００３０】
更に、本実施の形態においては、境界部１２は両端が腰天１０ａの腰ゴム部１４に達するとともに、中央部分が湾曲して股布部２０に対向した略Ｕ字状の構成を有することで、袋体部１３は、腰ゴム部１４と境界部１２とによって囲まれた空間内に位置することで安定して局部を保持することができる。また、境界部１２の中央部分は湾曲していることにより、本体部１０の裏面において曲線又は曲面として体表と接することとなり、快適な着用感を得ることが可能となっている。
【００３１】
なお、境界部１２は腰天１０ａ寄りの両端同士が接続して、全体として略環状の慨形を有するものとしてもよく、上記構成と同様の効果を奏する。
【００３２】
次に、図５及び図６を参照して、本発明の男性用下着の製造方法の一実施の形態である、本実施の形態のブリーフ１の製造方法を説明する。はじめに、図５（ａ）に示すように、本体部１０の元となる筒状の織布である土台布４０を作成する。具体的には、土台布４０は、コットン、ポリエチレン、ポリウレタン等の周知の被服材料である撚糸を延伸方向に継ぎ目が生じないように筒織りすることにより作成する。ただし、完成後の土台布４０の側面において継ぎ目が生じないようにすることができれば、素材となる撚糸その他糸の織り又は編みの具体的な手法によって限定されるものではない。
【００３３】
筒状の土台布４０は両端が連通する一対の開口４０ａ及び４０ｂを有することとなり、いずれか一方の開口の縁に、対向する一対の切り欠き４１を設ける。図５（ａ）においては、開口４０ｂの縁に切り欠き４１を設ける例を示した。
【００３４】
更に、土台布４０の作成時においては、表面の一部に他の部分よりも撚糸を稠密に織込むことにより一定幅を有する外形略Ｕ字状の輪郭部４０ｃが形成されるようにする。輪郭部４０ｃは、両端が開口４０ａに達するように構成され、完成後のブリーフ１の境界部１２に対応し、土台布４０の他の部分より強度が大きく、かつ伸縮性が小さくなっている。
【００３５】
次に、図５（ｂ）に示すように、土台布４０において、開口４０ｂ寄りの一端において、開口４０ｂの中央を横断して、一部を塞ぐように帯状の当て布部５０を配置し、土台布４０に縫着させる。このとき、当て布部５０の両端の輪郭の形状は、切り欠き４１の周縁に対応させており、当て布部５０の端部が切り欠き４１の周縁に嵌り込ませ、厚みが増加しないよう、重なりが生じない状態で、例えばかがり縫いにより縫着する。これにより、開口４０ｂは当て布部５０により離隔された一対の開口に分割される。
【００３６】
次に、図５（ｃ）に示すように、一方の開口４０ａを腰天１０ａに、当て布部５０により離隔された開口４０ｂを一対の裾部１０ｂに、当て布部５０を股布部２０に、輪郭部４０ｃを境界部１２にそれぞれ対応させて、土台布４０を有する本体部１０を完成させる。更に、本体部１０に対して腰ゴム部１４、裾ゴム部１５及び当て布部３０をそれぞれ縫着することにより、ブリーフ１の外形を完成する。
【００３７】
本実施の形態においては、以上の製造工程において、図６に示すように、筒状の土台布４０の内筒面４０ｘに対向する凸部６０ａを有する雄型６０と、土台布４０の外筒面４０ｙに対向する凹部７０ａを有する雌型７０とにより、土台布４０の側面を挟持して、布地が凸部６０ａと凹部７０ａに挟持されるようにし、所定温度で加圧、圧着させる。なお、雄型６０の凸部６０ａの輪郭及び雌型７０の凹部７０ａの輪郭は、それぞれ輪郭部４０ｃの内側の周に対応する。
【００３８】
以上の工程により、雄型６０及び雌型７０で挟まれた土台布４０の一部は、内筒面から該当面に膨出するように変形し、ブリーフ１における袋体部１３を形成する。変形部分は、土台布４０又は本体部１０において土台布４０の他の部分と同様充分に滑らか且つ柔らかな触感が保たれる。なお、図６に示す袋体部１３形成の工程は、図５（ａ）〜（ｃ）の各工程の任意の工程において実施することができる。
【００３９】
以上のように、本発明の実施の形態に係るブリーフ１によれば、本体部１０が、前身頃部１１ａ及び後身頃部１１ｂを継ぎ目無く繋いでいる一枚の生地から構成されるとともに、前身頃部１１ａの上であって、使用者の局部に対応する位置に、前身頃部１１ａから連続して形成された略袋状の袋体部１３を、本体部１０に対する圧着加工により形成したことにより、体型に追従して快適な着用感を得ることが可能になるという効果を奏する。
【００４０】
しかしながら、本発明は上記の実施の形態により限定されるものではない。
【００４１】
上記の説明においては、袋体部１３は、両端が腰天１０ａの腰ゴム部１４に達するとともに、中央部分が湾曲して股布部２０に対向した略Ｕ字状の境界部１２により囲まれるものとしたが、更に、図７（ａ）に示すように、袋体部１３の幅寸法は、腰ゴム部１４側よりも、境界部１２の中央部分寄りのほうが大きくなっているものとしてもよい。この場合、局部のうち下方に位置しやすい陰嚢部分の収容体積を大きくとることができ、更に快適な着用感を得ることが可能となる。
【００４２】
また、上記の説明においては、境界部１２は一様な幅を有する帯状の態様を有するものとして説明を行ったが、図７（ｂ）に示すように、境界部１２の幅寸法は、腰ゴム部１４側よりも、境界部１２の中央部分寄りのほうが大きくなっているものとしてもよい。この場合、上述のように陰嚢部分に隣接する部分がより大きく補強されることとなり、着用時における局部のずれや移動を更に効果的に抑制して、局部を袋体部１３内に安定して保持することが可能となる。
【００４３】
また、上記の説明においては、腰ゴム部１４、裾ゴム部１５は本体部１０とは別部材であるとしたが、境界部１２同様、本体部１０と一体的に織られた構成であるとしてもよい。更に、境界部１２を省略して、本体部１０から直接袋体部１３が形成される構成であるとしてもよい。
【００４４】
更に、上記の説明においては、本発明の男性用下着は、いわゆるボクサーブリーフであるブリーフ１であるとして説明を行ったが、本発明は、一枚の生地から構成され、使用者の臀部、脇部及び局部及びそれらの間を継ぎ目なく覆う筒状の本体部、及び本体部と縫着される股布部とを備え、使用者の局部に対応する部位にあって他の部位から膨出した袋体部を有する男性用下着であればよく、その他の用途、構成によって限定されるものではない。したがって、ボクサーブリーフの他、ビキニブリーフ、タイツとして実施してもよい。
【００４５】
要するに、本発明は、その要旨を逸脱しない範囲内であれば、以上説明したものを含め、上記実施の形態に種々の変更を加えたものとして実施してもよい。
【産業上の利用可能性】
【００４６】
以上のような本発明は、男性用下着において体型に追従して快適な着用感を得ることが可能になるという効果を奏し、例えばボクサーブリーフのような男性用下着において有用である。
【符号の説明】
【００４７】
１  ブリーフ
１０  本体部
１０ａ  腰天
１０ｂ  裾部
１１ａ  前身頃部
１１ｂ  後身頃部
１１ｃ  脇部
１２  境界部
１３  袋体部
１４  腰ゴム部
１５  裾ゴム部
２０  股布部
３０、５０  当て布部
３０ａ  縫合線
４０  土台布
４０ａ、４０ｂ  開口
４０ｃ  輪郭部
４０ｘ  内筒面
４０ｙ  外筒面
４１  切り欠き
６０  雄型
６０ａ  凸部
７０  雌型
７０ａ  凹部
【図１】
2016117968.tif 000003
【図２】
2016117968.tif 000004
【図３】
2016117968.tif 000005
【図４】
2016117968.tif 000006
【図５】
2016117968.tif 000007
【図６】
2016117968.tif 000008
【図７】
2016117968.tif 000009